(57)【要約】【課題】発信から相手応答まで長く待たされる場合であっても、発信者が負担なく待機できると共に、応答した通話相手に不自然な印象を与えることがない電話機を提供する。【解決手段】電話機１は、電話機１で発信から相手応答までに所定時間以上の待ち時間を要した通話相手側の電話番号を記憶した記憶手段１２と、電話機１での発信操作処理で入力される電話番号が記憶手段１２に記憶されている電話番号である場合に発信から相手応答までの呼接続状態を監視する呼接続状態監視手段８と、少なくとも相手応答を検出した際に、少なくとも相手応答がなされたことを電話機１の発信者に通知する状態通知手段１０と、通知後に電話機１の発信者が受話部６に接触されているか否かを検出する検出手段１３と、電話機１の発信者の接触を検出した場合に相手側との通話パスを接続する通話パス接続手段１１とを備える。【選択図】図１
2012161017.tif 000002
【特許請求の範囲】
【請求項１】
無線を介して通話を行う電話機であって、
該電話機で発信から相手応答までに所定時間以上の待ち時間を要した通話相手側の電話番号を記憶した電話番号記憶手段と、前記電話機での発信操作処理で入力される電話番号が前記電話番号記憶手段に記憶されている電話番号である場合に発信から相手応答までの呼接続状態を監視する呼接続状態監視手段と、該呼接続状態監視手段により少なくとも相手応答を検出した際に、該少なくとも相手応答がなされたことを前記電話機の発信者に通知する状態通知手段と、該通知後に前記電話機の発信者が該電話機の受話部に接触されているか否かを検出する検出手段と、該検出手段により前記電話機の発信者の接触を検出した場合に相手側との通話パスを接続する通話パス接続手段とを備えたことを特徴とする電話機。
【請求項２】
請求項１に記載の電話機において、前記呼接続状態監視手段は、前記呼接続状態として、少なくとも呼設定応答、ベアラ接続、呼出中、応答、圏外、話中を監視することを特徴とする電話機。
【請求項３】
請求項１又は２に記載の電話機において、前記呼接続状態監視手段により監視される呼設定応答、ベアラ接続、呼出中、応答、圏外、話中の各呼接続状態に応じた通知パターンを記憶した通知パターン記憶手段を備え、前記状態通知手段は、前記呼接続状態監視手段により監視される呼接続状態に応じた通知パターンを前記通知パターン記憶手段から取得し、該取得した通知パターンに基づいて、音、光、振動の少なくとも１つを発生させることを特徴とする電話機。
【請求項４】
請求項１〜３のいずれか１項に記載の電話機において、前記呼接続状態監視手段による前記発信から相手応答までの呼接続状態の監視中に、前記検出手段により前記電話機の発信者が該電話機の受話部に接触されていることが検出された場合、前記呼接続状態監視手段を無効にすることを特徴とする電話機。
【請求項５】
請求項４に記載の電話機において、前記呼接続状態監視手段が無効になった後、前記検出手段により前記電話機の発信者が該電話機の受話部から離れたことが検出され且つ前記呼接続状態が呼設定応答、ベアラ接続、呼出中のいずれかの場合に、前記呼接続状態監視手段を再び有効にすることを特徴とする電話機。
【請求項６】
請求項１〜５のいずれか１項に記載の電話機において、前記状態通知手段により相手応答がなされたことが前記電話機の発信者に通知された後に、前記検出手段により前記電話機の発信者による該電話機の受話部への接触が所定時間検出されない場合、相手側に所定のメッセージを送信することを特徴とする電話機。
【発明の詳細な説明】
【技術分野】
【０００１】
本発明は、電話機に関し、より詳細には、無線を介して通話を行う電話機に関するものである。
【背景技術】
【０００２】
従来、電話機を用いて通話等を行う際に、発信者は、相手側の電話番号を入力して発信操作を行った後に、相手からの応答の有無を確認するため、発信者の聴覚部位を受話部に接触させた状態で相手側の応答を待っていた。また、電話機のスピーカホン等で相手応答をモニタしながら、発信者の聴覚部位を受話部から離した状態で、相手応答まで待機するといった方法を用いる場合もある。
【０００３】
図４は、従来の無線を利用する携帯電話機の構成を示すブロック図である。図中、１００は携帯電話機で、該携帯電話機１００は、無線部１０１、呼制御部１０２、電話機能発信操作部１０３、通話パス部１０４、受話部１０５、モニタ部１０６、送話部１０７を示す。まず、発信操作に際して、携帯電話機１００の発信者（ユーザともいう）が電話機能発信操作部１０３より発信接続したい相手方の電話番号を入力・発信操作を行う。これを受けた呼制御部１０２は、入力された相手方電話番号に従って、予め決められたプロトコルに基づく発信手続きを、無線部１０１を介して基地局（図示せず）へ伝達する。
【０００４】
その後、発信者は、聴覚部位を受話部１０５に接触させて、相手応答の待機状態に移行する。また、基地局は、接続相手先との呼接続状態が、予め決められたプロトコル順に、呼設定応答，ベアラ接続，呼出中のいずれの状態にあるのかを携帯電話機１００の無線部１０１を介して呼制御部１０２に通知する。呼制御部１０２は、接続相手先との呼接続状態が呼出中になると、通話パス部１０４に指令を出し、この指令を受けた通話パス部１０４は、基地局から送られてくる下り音声データを音声出力できるように受話部１０５又はスピーカ等のモニタ部１０６を開放する。
【０００５】
続いて、相手の応答が確認されると、基地局は、相手接続先との呼接続状態が応答状態にあることを携帯電話機１００の無線部１０１を介して呼制御部１０２に通知する。呼制御部１０２は、接続相手先との呼接続状態が応答になると、通話パス部１０４に指令を出し、この指令を受けた通話パス部１０４は、送話部１０７より入力される上り音声データを無線部１０１から基地局へ送信できるように、送話部１０７を開放する。このようにして受話側及び送話側の通話パスが接続され、相手方との通話が可能となる。
【０００６】
しかしながら、上記のような構成では、発信者は、電話機の発信操作後、相手が応答する前から聴覚部位を受話部に接触させて待機するか、あるいは、スピーカ等で相手応答をモニタしながら相手が応答するまで待機しなくてはならない。このため、相手応答まで長い時間待たされる場合には、前者のケースでは、発信者は聴覚部位を受話部にしばらく接触させている必要があり、後者のケースでは、発信者は聴覚部位を受話部に接触させる必要はないが、スピーカ等のモニタ部を用いるため、相手からの音声が周囲に聞こえてしまうという問題がある。このように電話機のユーザからすると、負担が大きく、使い勝手が悪いという問題があった。
【０００７】
これに対して、特許文献１には、相手とつながるまで自動ダイヤルし、相手が応答した場合は、相手にメッセージを出力して待機させると共に、自身の電話機のベル呼び出しを行い相手が応答したことを報知するようにした電話機が記載されている。この電話機は、回線制御手段、ダイヤル出力手段、メッセージ出力手段、ベル出力手段、制御手段、情報入力手段、送受話回路を備え、再ダイヤル後、相手応答を検出し、応答した相手に対しては待機を促すメッセージを出力すると共に、自身の電話機の呼び出しベルを鳴動させ、相手が応答したことを報知するようにしている。
【先行技術文献】
【特許文献】
【０００８】
【特許文献１】特開平８−１６３２２２号公報
【発明の概要】
【発明が解決しようとする課題】
【０００９】
しかしながら、上記特許文献１に記載の電話機の場合、相手側に対して、一律に「申し訳ございませんが、暫くお待ち下さい」などのメッセージを流しているため、相手側は応答した直後にメッセージを聞くことになる。この場合、通話相手からすると、電話がかかってきているにも係らず、電話をかけた発信者が出ず、上記のようなメッセージを聞くことになり、不自然な印象を与えてしまう。また、通話相手の傾向として、早く応答する相手と、すぐに応答せず応答までに長く待たされる相手とがいるが、引用文献１に記載の電話機の場合、通話相手の傾向に係らず、上記のメッセージが一律に流れてしまう。このため、早く応答する相手であれば、メッセージを長く聞かされることになり、不快な感じを与え、電話を切られてしまう可能性もある。
【００１０】
本発明は、上述のような実情に鑑みてなされたもので、発信から相手応答まで長く待たされる場合であっても、発信者が負担なく待機できると共に、応答した通話相手に不自然な印象を与えることがない電話機を提供すること、を目的とする。
【課題を解決するための手段】
【００１１】
上記課題を解決するために、本発明の第１の技術手段は、無線を介して通話を行う電話機であって、該電話機で発信から相手応答までに所定時間以上の待ち時間を要した通話相手側の電話番号を記憶した電話番号記憶手段と、前記電話機での発信操作処理で入力される電話番号が前記電話番号記憶手段に記憶されている電話番号である場合に発信から相手応答までの呼接続状態を監視する呼接続状態監視手段と、該呼接続状態監視手段により少なくとも相手応答を検出した際に、該少なくとも相手応答がなされたことを前記電話機の発信者に通知する状態通知手段と、該通知後に前記電話機の発信者が該電話機の受話部に接触されているか否かを検出する検出手段と、該検出手段により前記電話機の発信者の接触を検出した場合に相手側との通話パスを接続する通話パス接続手段とを備えたことを特徴としたものである。
【００１２】
第２の技術手段は、第１の技術手段において、前記呼接続状態監視手段は、前記呼接続状態として、少なくとも呼設定応答、ベアラ接続、呼出中、応答、圏外、話中を監視することを特徴としたものである。
【００１３】
第３の技術手段は、第１又は第２の技術手段において、前記呼接続状態監視手段により監視される呼設定応答、ベアラ接続、呼出中、応答、圏外、話中の各呼接続状態に応じた通知パターンを記憶した通知パターン記憶手段を備え、前記状態通知手段は、前記呼接続状態監視手段により監視される呼接続状態に応じた通知パターンを前記通知パターン記憶手段から取得し、該取得した通知パターンに基づいて、音、光、振動の少なくとも１つを発生させることを特徴としたものである。
【００１４】
第４の技術手段は、第１〜第３のいずれか１の技術手段において、前記呼接続状態監視手段による前記発信から相手応答までの呼接続状態の監視中に、前記検出手段により前記電話機の発信者が該電話機の受話部に接触されていることが検出された場合、前記呼接続状態監視手段を無効にすることを特徴としたものである。
【００１５】
第５の技術手段は、第４の技術手段において、前記呼接続状態監視手段が無効になった後、前記検出手段により前記電話機の発信者が該電話機の受話部から離れたことが検出され且つ前記呼接続状態が呼設定応答、ベアラ接続、呼出中のいずれかの場合に、前記呼接続状態監視手段を再び有効にすることを特徴としたものである。
【００１６】
第６の技術手段は、第１〜第５のいずれか１の技術手段において、前記状態通知手段により相手応答がなされたことが前記電話機の発信者に通知された後に、前記検出手段により前記電話機の発信者による該電話機の受話部への接触が所定時間検出されない場合、相手側に所定のメッセージを送信することを特徴としたものである。
【発明の効果】
【００１７】
本発明によれば、発信から応答までに長く待たされることが予測される通話相手の場合にだけ、通話相手との呼接続状態を監視して、通話相手が応答したことを発信者に通知し、この通知に応じて発信者の聴覚部位等を受話部に接触させることで通話パスが接続されるため、発信から相手応答までの間に、発信者が負担なく待機できると共に、応答した通話相手に不自然な印象を与えることがなくなる。
【図面の簡単な説明】
【００１８】
【図１】本発明の一実施形態に係る電話機の構成例を示すブロック図である。
【図２】本発明の電話機による具体的な処理の一例を説明するためのフロー図である。
【図３】本発明の電話機による具体的な処理の一例を説明するためのフロー図で、図２の続きである。
【図４】従来の無線を利用する携帯電話機の構成を示すブロック図である。
【発明を実施するための形態】
【００１９】
以下、添付図面を参照しながら、本発明の電話機に係る好適な実施の形態について説明する。
【００２０】
図１は、本発明の一実施形態に係る電話機の構成例を示すブロック図で、図中、１は電話機を示す。この電話機１は、例えば、無線を介して通話を行う携帯電話機であって、無線部２、呼制御部３、電話機能発信操作部４、通話パス部５、受話部６、送話部７を備える。これら各部の基本的な構成は、前述の図４で説明した無線部１０１、呼制御部１０２、電話機能発信操作部１０３、通話パス部１０４、受話部１０５、送話部１０７と同様であるが、以下では通常の通話処理について簡単に説明する。まず、電話機１の発信者が電話機能発信操作部４より発信接続したい相手方の電話番号を入力・発信操作を行う。これを受けた呼制御部３は、入力された相手方電話番号に従って、予め決められたプロトコルに基づく発信手続きを、無線部２を介して基地局（図示せず）へ伝達する。
【００２１】
その後、発信者は、聴覚部位を受話部６に接触させて、相手応答の待機状態に移行する。また、基地局は、接続相手先との呼接続状態が、予め決められたプロトコル順に、呼設定応答，ベアラ接続，呼出中のいずれの状態にあるのかを電話機１の無線部２を介して呼制御部３に通知する。呼制御部３は、接続相手先との呼接続状態が呼出中になると、通話パス部５に指令を出し、この指令を受けた通話パス部５は、基地局から送られてくる下り音声データを音声出力できるように受話部６を開放する。
【００２２】
上記の呼設定応答、ベアラ接続、呼出中について簡単に説明する。まず、呼設定応答について、発信者が掛けたい相手先の電話番号やサービス指定（例えば、テレビ電話など）を基地局へ要求すると、基地局がこの要求に基づいて、相手側端末と接続可能な状態か否かの確認を行う。この確認を行った結果を発信者側端末に通知することを呼設定応答と言う。また、ベアラ接続について、発信者側端末が呼設定応答で相手側端末と接続可能である旨の結果を受け取ると、発信者側端末と相手側端末との間で発信者の指定したサービスが利用できるように基地局より指定されたベアラ（物理的な無線伝送路）を確立する。この確立した状態をベアラ接続と言う。端末制御では、呼出中の状態に移行するためのトリガとして、このベアラ接続の状態を把握する必要がある。また、呼出中について、発信者側端末と相手側端末との間でベアラ接続を確立後、相手側端末での呼び出し（着信ベル鳴動）状態を発信者側に伝えるために通知することを呼出中と言う。
【００２３】
続いて、相手の応答が確認されると、基地局は、相手接続先との呼接続状態が応答状態にあることを電話機１の無線部２を介して呼制御部３に通知する。呼制御部３は、接続相手先との呼接続状態が応答になると、通話パス部５に指令を出し、この指令を受けた通話パス部５は、送話部７より入力される上り音声データを無線部２から基地局へ送信できるように、送話部７を開放する。このようにして受話側及び送話側の通話パスが接続され、相手方との通話が可能となる。
【００２４】
本発明の主たる特徴部分は、発信から相手応答まで長く待たされる場合であっても、発信者が負担なく待機できると共に、応答した通話相手に不自然な印象を与えることがないようにすることである。このための構成として、電話機１は、電話機１で発信から相手応答までに所定時間以上の待ち時間を要した通話相手側の電話番号を記憶した電話番号記憶手段に相当する記憶手段１２と、電話機１での発信操作処理で入力される電話番号が記憶手段１２に記憶されている電話番号である場合に発信から相手応答までの呼接続状態を監視する呼接続状態監視手段８と、呼接続状態監視手段８により少なくとも相手応答を検出した際に、状態通知ドライブ手段９からの指示に従って、少なくとも相手応答がなされたことを電話機１の発信者に通知する状態通知手段１０と、通知後に電話機１の発信者（例えば、発信者の聴覚部位など）が電話機１の受話部６に接触されているか否かを検出する検出手段１３と、検出手段１３により電話機１の発信者の接触を検出した場合に相手側との通話パスを接続する通話パス接続手段１１とを備えている。
【００２５】
上記において、例えば、呼制御部３は、通話相手の電話番号毎に、発信から相手応答までの待ち時間を計測し、この待ち時間が所定時間以上であった電話番号を予め記憶手段１２に記憶しておく。この所定時間は例えば２０秒などと設定しておくことができるが、長いと感じる待ち時間はユーザに応じて異なるため、ユーザにより適宜設定できることが望ましい。なお、１つの電話番号に対して、複数の待ち時間を計測・記憶（例えば、過去５回など）しておき、これら複数の待ち時間の平均値が所定時間以上である場合に、その電話番号を記憶手段１２に記憶するようにしてもよい。この記憶手段１２としては、例えば、ＲＯＭ(Read-Only Memory)，ＥＥＰＲＯＭ(Electrically Erasable Programmable Read-Only Memory)，フラッシュメモリ，メモリカード等の各種の半導体メモリなどが適用されるが、特に限定されるものではない。
【００２６】
呼接続状態監視手段８は、デフォルトでは呼接続状態の監視を行わない解除モード（無効）になっている。そして、発信者が電話機能発信操作部４を操作して、通話相手の電話番号を入力すると、呼制御部３は、電話機能発信操作部４から入力された電話番号（相手方電話番号）が記憶手段１２に記憶されているか否かを判定する。そして、相手方電話番号が記憶手段１２に記憶されている場合、呼制御部３は、呼接続状態監視手段８を開始モードにして、発信から相手応答までの呼接続状態の監視を行う。また、相手方電話番号が記憶手段１２に記憶されていない場合、呼接続状態監視手段８はデフォルトの解除モードのままであるため、呼接続状態監視手段８による呼接続状態の監視は行わず、通常の通話処理を行う。
【００２７】
呼接続状態監視手段８は、開始モードにされると、発信から相手応答までの呼接続状態として、少なくとも呼設定応答、ベアラ接続、呼出中、応答、圏外、話中を監視する。この呼接続状態は、相手方との通信状態に応じて基地局から呼制御部３に通知されるため、呼接続状態監視手段８は呼制御部３に通知される呼接続状態を監視すればよい。また、記憶手段１２は、本発明の通知パターン記憶手段としても機能し、呼接続状態監視手段８により監視される呼設定応答、ベアラ接続、呼出中、応答、圏外、話中の各呼接続状態に応じた通知パターンを記憶する。呼接続状態監視手段８により監視される呼接続状態（呼設定応答、ベアラ接続、呼出中、応答、圏外、話中）は、状態通知ドライブ手段９に通知される。
【００２８】
状態通知ドライブ手段９は、呼接続状態監視手段８から通知される呼接続状態に応じた通知パターンを記憶手段１２から取得し、取得した通知パターンに基づいて状態通知手段１０を駆動する。状態通知手段１０は、音を発生させるスピーカや、光を発生させるＬＥＤ（Light Emitting Diode）などのランプ、振動を発生させるバイブレータなどで構成され、状態通知ドライブ手段９からの駆動指示に従い、通知パターンに応じて、音、光、振動の少なくとも１つを発生させて、現在どの呼接続状態にあるのかを発信者に通知する。
【００２９】
スピーカによる音（ビープ音など）、ランプによる光、バイブレータによる振動の少なくとも１つを発生させ、呼接続状態を発信者に通知する際に、通知パターンの例としては、呼設定応答の場合、例えば、１秒スピーカオン，０．５秒スピーカオフを１回行う、ベアラ接続の場合、１秒スピーカオン，０．５秒スピーカオフを２回行う、呼出中の場合、１秒スピーカオン，０．５秒スピーカオフを３回行う、などが考えられる。また、応答の場合、１秒ランプオン，０．５秒ランプオフを繰り返す、圏外の場合、２秒ランプオン，１秒ランプオフを繰り返す、話中の場合、０．５秒ランプオン，１秒ランプオフを繰り返す、などが考えられる。ランプを用いる場合、状態に応じて色を異ならせるとより識別し易くなり好ましい。例えば、応答の場合は青色発光、圏外の場合は赤色発光、話中の場合は黄色発光などとすればよい。
【００３０】
記憶手段１２には、これらの通知パターンが各呼接続状態（呼設定応答，ベアラ接続，呼出中，応答，圏外，話中）に対応付けられて記憶されるが、通知パターンは上記例に限定されるものではなく、スピーカのオン／オフ，ランプのオン／オフ，バイブレータのオン／オフ、あるいは、これらスピーカ，ランプ，バイブレータのオン／オフを適宜組み合わせることにより各呼接続状態を識別できるものであればよい。
【００３１】
図１において、発信者が電話機１から相手方電話番号を発信すると、呼制御部３は、相手方電話番号が記憶手段１２に記憶されているか否かを判定する。相手方電話番号が記憶手段１２に記憶されていると判定した場合、この相手方電話番号の相手はすぐに応答しないと考えられるため、呼接続状態監視手段８を開始モードにして、相手方電話機との呼接続状態を監視する。なお、この呼接続状態監視手段８が開始モードになった場合、その旨を発信者に通知するために、状態通知手段１０が音，光，振動の少なくとも１つを発生させる。例えば、状態通知手段１０がランプの場合、ランプを２秒オン（点灯）するなどにより発信者に通知する。そして、通話パス部５が送話部７の通話パスを遮断し、電話機１から相手方へ送話できないようにする。
【００３２】
次に、発信者は、上記通知により呼接続状態監視手段８が開始モードになったことを認識すると、発信から相手応答までの間、電話機１を目視可能な場所に設置して、相手方電話機との呼接続状態が「応答」になるまで待機する。この間、発信者は聴覚部位（以下、耳ともいう）を受話部６から離した状態で待機することができる。そして、基地局を介して相手応答を検知した場合、相手方電話機との呼接続状態が「応答」になるため、状態通知手段１０が「応答」状態を示す通知パターン（例えば、１秒ランプオン，０．５秒ランプオフを繰り返す）を出力すると共に、呼制御部３が呼接続状態監視手段８を解除モードにする。つまり、相手が応答した場合には呼接続状態監視手段８は自動的に解除モードとなる。
【００３３】
発信者は上記の通知パターンを認識することで、相手方と「応答」状態にあることを知ることができる。そして、発信者は、電話機１を手に取り、耳を受話部６に当てると、接触を検知する公知のセンサ等で構成される検出手段１３がこれを検出し、通話パス接続手段１１が電話機１と相手方電話機との通話パスを接続する。つまり、通話パス接続手段１１は呼制御部３に通話パス接続要求を出力し、呼制御部３は通話パス接続手段１１からの通話パス接続要求を受けて、受話部６及び送話部７の通話パスを開放するように通話パス部５を制御する。
【００３４】
検出手段１３は、例えば、対象物の接触を検知する一般的なセンサであって、受話部６に発信者が接触したことを検知することができるが、その検知対象は発信者の任意の部位であればよく、指など、耳以外であってもよい。この検出手段１３は、呼接続状態監視手段８が開始モードにされたときに有効とされ、解除モードのときは無効とされる。また、図１では、検出手段１３を通話パス接続手段１１と別々に示しているが、検出手段１３と通話パス接続手段１１とを一体的に構成してもよい。
【００３５】
このように、相手が応答しても、電話機１を発信者の耳に当てるまでは通話が遮断されているため、相手が応答した直後に発信者側の不用意な音声を相手に聞かれる心配がない。また、相手が応答した場合、電話機１を発信者の耳に当てるだけで、受話側、送話側それぞれの通話パスが接続され通話が可能となるため、通話開始にあたり特別な操作を行う必要がなく、相手の応答に対して即座に且つ自然に対応することができる。
【００３６】
また、呼接続状態監視手段８が開始モードにされ、発信から相手応答までの呼接続状態の監視中に、検出手段１３により発信者の聴覚部位が受話部６に接触されていることが検出された場合、呼接続状態監視手段８を解除モードにして、無効にするようにしてもよい。そして、上記より呼接続状態監視手段８が無効になった後、検出手段１３により発信者の聴覚部位が受話部６から離れたことが検出され且つそのときの呼接続状態が呼設定応答、ベアラ接続、呼出中のいずれかの場合に、呼接続状態監視手段８を再び有効（開始モード）にしてもよい。
【００３７】
上記において、相手が応答していないときに、発信者が聴覚部位を受話部６に当てることも考えられるため、このような場合には、呼接続状態監視手段８を解除モード（無効）にする。そして、発信者は、相手が応答するまで聴覚部位を受話部６に当てたままにしてもよいし、あるいは、聴覚部位を受話部６から離してもよい。検出手段１３により発信者の聴覚部位が受話部６から離れたことが検出された場合、呼制御部３はそのときの呼接続状態を取得し、取得した呼接続状態が呼設定応答、ベアラ接続、呼出中のいずれかであれば、呼接続状態監視手段８を再び開始モード（有効）にする。このように、相手が応答するまでの間において、発信者の聴覚部位が受話部６に当てられているか否かに応じて、呼接続状態監視手段８のモード（開始モード、解除モード）を切り替えることができるため、発信者は特別な操作を行う必要がなく、直感的で分かり易い操作を可能とする。
【００３８】
ここで、相手が応答した際に、発信者側に何らかの事情が生じ、すぐに応答できない場合も想定される。このような場合には、自動的に所定のメッセージを相手側に流すことで適切な応答を行うことが可能となる。すなわち、状態通知手段１０により相手応答がなされたことが電話機１の発信者に通知された後に、検出手段１３により発信者の聴覚部位による受話部６への接触が所定時間検出されない場合、相手側に所定のメッセージを送信する。上述したように、相手応答がなされ、そのことが電話機１の発信者に通知された場合には、呼接続状態監視手段８が自動的に解除モードとなる。従って、呼制御部３が、呼接続状態監視手段８が解除モードになってからの時間をカウントし、カウントした時間が所定時間以上になった場合に、相手側に所定のメッセージを流すように制御される。
【００３９】
上記メッセージの例としては、相手側に対して、「申し訳ございませんが、暫くお待ち下さい」などといったメッセージを流すことが考えられる。その後、発信者が、電話機１を手に取り、聴覚部位を受話部６に当てると、検出手段１３がこれを検知し、通話パス接続手段１１が電話機１と相手方電話機との通話パスを接続する。つまり、通話パス接続手段１１は通話パス接続要求を呼制御部３に出力し、呼制御部３は通話パス接続手段１１からの通話パス接続要求を受けて、受話部６及び送話部７の通話パスを開放するように通話パス部５を制御する。
【００４０】
以下、本発明の電話機１による具体的な処理フローの一例を図２、図３に基づいて説明する。なお、記憶手段１２には、電話機１で過去に発信から応答までに所定時間以上の待ち時間を要した電話番号が記憶されているものとし、呼接続状態監視手段８はデフォルトで解除モードであるものとする。図２において、まず、発信者が電話機能発信操作部４を操作して発信接続したい相手方の電話番号を入力すると、呼制御部３は、相手方電話番号が記憶手段１２に記憶されている電話番号と一致するか否かを判定する（ステップＳ１）。
【００４１】
ステップＳ１において、相手方電話番号と記憶手段１２に記憶されている電話番号とが一致する場合（ＹＥＳの場合）、呼接続状態監視手段８を開始モードにし、その旨を発信者に通知するために、状態通知ドライブ手段９が状態通知手段１０を駆動させる（ステップＳ２）。例えば、状態通知手段１０がランプの場合、ランプを２秒オン（点灯）するなどにより発信者に通知する。また、ステップＳ１において、相手方電話番号が記憶手段１２に記憶されている電話番号と一致しない場合（ＮＯの場合）、呼接続状態監視手段８はデフォルトの解除モードのまま、ステップＳ３に移行する。
【００４２】
次に、呼制御部３は、相手方電話番号に従って、予め決められたプロトコルに基づく発信手続きを、無線部２を経由して基地局へ伝達する（ステップＳ３）。そして、基地局は、無線部２を経由して接続相手先との呼接続状態（呼設定応答，ベアラ接続，呼出中）を、予め決められたプロトコルの順で呼制御部３へ通知する（ステップＳ４）。
【００４３】
次に、呼制御部３は、呼接続状態監視手段８が開始モードになっているか否かを判定し（ステップＳ５）、呼接続状態監視手段８が開始モードになっていないと判定した場合（ＮＯの場合）、図３のステップＳ１５に移行する。また、ステップＳ５において、呼接続状態監視手段８が開始モードになっていると判定した場合（ＹＥＳの場合）、発信者の聴覚部位が受話部６に接触したか否かを判定する（ステップＳ６）。発信者の聴覚部位が受話部６に接触したと判定した場合（ＹＥＳの場合）、呼制御部３が呼接続状態監視手段８を解除モードにする（ステップＳ７）。また、ステップＳ６において、発信者の聴覚部位が受話部６に接触していないと判定した場合（ＮＯの場合）、図３のステップＳ１３に移行する。
【００４４】
図３において、さらに、呼制御部３は、呼接続状態が呼設定応答、ベアラ接続、呼出中のいずれかの状態で且つ発信者の聴覚部位が受話部６から離れたか否かを判定し（ステップＳ１１）、呼接続状態が呼設定応答、ベアラ接続、呼出中のいずれかの状態で且つ発信者の聴覚部位が受話部６から離れていないと判定した場合（ＮＯの場合）、ステップＳ１４に移行する。また、ステップＳ１１において、呼接続状態が呼設定応答、ベアラ接続、呼出中のいずれかの状態で且つ発信者の聴覚部位が受話部６から離れていると判定した場合（ＹＥＳの場合）、呼制御部３が呼接続状態監視手段８を再び開始モードにする（ステップＳ１２）。
【００４５】
そして、開始モードにされた呼接続状態監視手段８により監視される呼接続状態（呼設定応答，ベアラ接続，呼出中，圏外，話中のいずれか）を、前述の通知パターンに基づき状態通知手段１０を用いて通知する（ステップＳ１３）。具体的には、呼接続状態監視手段８により監視される呼接続状態は、状態通知ドライブ手段９に通知され、状態通知ドライブ手段９は、通知された呼接続状態に応じた通知パターンを記憶手段１２から取得し、取得した通知パターンに基づき状態通知手段１０を駆動させ、音、光、振動の少なくとも１つを発生させる。
【００４６】
上記の通知パターンの例としては、前述したように、呼設定応答の場合、１秒スピーカオン，０．５秒スピーカオフを１回行う、ベアラ接続の場合、１秒スピーカオン，０．５秒スピーカオフを２回行う、呼出中の場合、１秒スピーカオン，０．５秒スピーカオフを３回行う、などが考えられる。また、圏外の場合、２秒ランプオン，１秒ランプオフを繰り返す、話中の場合、０．５秒ランプオン，１秒ランプオフを繰り返す、などが考えられる。
【００４７】
次に、呼制御部３は、呼接続状態監視手段８が開始モードになっているか否かを判定し（ステップＳ１４）、呼接続状態監視手段８が開始モードになっていない、すなわち、解除モードと判定した場合（ＮＯの場合）、呼制御部３は、接続相手先の呼接続状態が呼出中になると、基地局から送られてくる下り音声データを受話部６から出力できるように、通話パス部５を制御して受話側の通話パスを接続する（ステップＳ１５）。そして、相手の応答が確認されると、基地局は、無線部２を経由して接続相手先との呼接続状態を「応答」として、予め決められたプロトコルにて呼制御部３へ通知し（ステップＳ１６）、この通知を受けた呼制御部３は、送話部７から相手方に上り音声データを出力できるように、通話パス部５を制御して送話側の通話パスを接続する（ステップＳ１７）。
【００４８】
また、呼制御部３は、ステップＳ１４において、呼接続状態監視手段８が開始モードになっていると判定した場合（ＹＥＳの場合）、相手の応答が確認されると、基地局は、無線部２を経由して接続相手先との呼接続状態を「応答」として、予め決められたプロトコルにて呼制御部３へ通知する（ステップＳ１８）。呼制御部３は、相手応答に応じて状態通知ドライブ手段９への指示を行い、この指示に従って状態通知ドライブ手段９は状態通知手段１０を駆動させ、「応答」状態を示す通知パターンに基づいて、音、光、振動の少なくとも１つを発生させる（ステップＳ１９）。呼接続状態が「応答」の場合、例えば、１秒ランプオン，０．５秒ランプオフを繰り返す。
【００４９】
次に、発信者は状態通知手段１０の通知パターンから、相手方との呼接続状態が「応答」状態にあることを認識し、電話機１を手に待って、受話部６に聴覚部位を当てる。そして、検出手段１３により受話部６への聴覚部位の接触が検出されると、通話パス接続手段１１が通話パス接続要求を呼制御部３に出力し、この通話パス接続要求を受けた呼制御部３は通話パス部５を制御して受話側及び送話側それぞれの通話パスを接続する（ステップＳ２０）。なお、相手応答が検出されると呼接続状態監視手段８は自動的に解除モードとなる。
【００５０】
このように本発明によれば、発信から応答までに長く待たされることが予測される通話相手の場合にだけ、通話相手との呼接続状態を監視して、通話相手が応答したことを発信者に通知し、この通知に応じて発信者の聴覚部位を受話部に接触させることで通話パスが接続されるため、発信から相手応答までの間に、発信者が負担なく待機できると共に、応答した通話相手に不自然な印象を与えることがなくなる。
【符号の説明】
【００５１】
１…電話機、２…無線部、３…呼制御部、４…電話機能発信操作部、５…通話パス部、６…受話部、７…送話部、８…呼接続状態監視手段、９…状態通知ドライブ手段、１０…状態通知手段、１１…通話パス接続手段、１２…記憶手段、１３…検出手段。
【図１】
2012161017.tif 000003
【図２】
2012161017.tif 000004
【図３】
2012161017.tif 000005
【図４】
2012161017.tif 000006